(57)【特許請求の範囲】
【請求項１】
建屋内を仕切壁で客室と機械室に仕切る精米設備において、
玄米を搬送する搬送装置を備える投入ホッパを仕切壁より客室に延長して設け、投入ホッパの左右一側の第一傾斜板の上端位置を左右他側の第二傾斜板の上端位置より低く形成し、
投入ホッパは客室の左右一側に設け、
左右外側の第二傾斜板の上端を建屋の側壁と接続し、
左右内側の第一傾斜板の上端部から客室の床面に向かって下がり傾斜姿勢の袋載置板を設けることを特徴とする精米設備。
【発明の詳細な説明】
【技術分野】
【０００１】
本発明は、建屋内に利用者が出入りする客室と、精米運転のための装置各部を配置する機械室を備える精米設備に関する。
【背景技術】
【０００２】
特許文献１には、非精米運転時には投入ホッパの正面を覆い、精米運転時に上方にスライドして開放し、利用者が持参玄米を投入ホッパに投入する建屋Ｔ式の精米設備が記載されている。
【０００３】
特許文献２には、投入ホッパが客室３の左右一側に突出して設ける籾摺精米設備が記載されている。
【先行技術文献】
【特許文献】
【０００４】
【特許文献１】特許第４３９３３０９号公報
【特許文献２】特公平８−２４２１号公報
【発明の概要】
【発明が解決しようとする課題】
【０００５】
特許文献１及び特許文献２いずれの投入ホッパは、玄米の収容量を確保するために、設定高さが必要としていた。そのため、利用者は持参した玄米入りの袋を持ち上げて投入ホッパに投入する必要があった。料金式の精米設備においては、通常、２０ｋｇや３０ｋｇの玄米を処理することが多く、かなりの重量である。
【課題を解決するための手段】
【０００６】
かかる課題を解決するために、請求項１記載の発明は、
建屋内を仕切壁で客室と機械室に仕切る精米設備において、
玄米を搬送する搬送装置を備える投入ホッパを仕切壁より客室に延長して設け、投入ホッパの左右一側の第一傾斜板の上端位置を左右他側の第二傾斜板の上端位置より低く形成し、
投入ホッパは客室の左右一側に設け、
左右外側の第二傾斜板の上端を建屋の側壁と接続し、
左右内側の第一傾斜板の上端部から客室の床面に向かって下がり傾斜姿勢の袋載置板を設けることを特徴とする。
【０００７】
【発明の効果】
【０００８】
本発明により、投入室内に収容できる玄米量を確保しながら、投入高さを低くすることができる。また、第二傾斜板を建屋の側壁に接続することで、側壁を利用して玄米を収容できるので、投入ホッパの玄米収容量を確保できる。
【０００９】
また、床面に向かって下がり傾斜姿勢の袋載置板を設けることで、袋を床面に置いて寝かせながら玄米を投入ホッパに投入することができる。
【図面の簡単な説明】
【００１０】
【図１】平面から見た精米設備の内部を説明する図
【図２】正面から見た客室を説明する図
【図３】精米設備の作業工程図
【図４】正面側から見た投入室内を説明する図
【図５】ブロック図
【図６】正面及び側面から見た建屋の外観図
【発明を実施するための形態】
【００１１】
本発明の実施の形態の精米設備について以下、説明する。
【００１２】
建屋Ｔを仕切壁１で利用者が出入りする客室３と、精米運転を行う装置各部を設ける機械室２とに仕切る。
【００１３】
客室３の正面側には、利用者が客室３に出入りするための利用者用出入り扉４を設け、機械室２側の側壁３４には、精米設備の管理者が出入りするための管理者用出入り扉５を設ける。
【００１４】
客室３の左右一側に利用者が持参した玄米を投入する投入室６を設ける。投入室６内に設ける投入ホッパＰに投入した玄米を機械室２側に搬送する搬送ラセン７を設ける。機械室２の左右一側に搬送ラセン７で搬送した玄米を揚穀する第一昇降機８を設ける。機械室２の左右中間部には、玄米に混じる石を除去する石抜機９を設ける。機械室２の左右他側には石抜機９で石抜き処理して第二昇降機１０で揚穀した石を精米処理する精米機１１を設ける。精米機１１で処理した精白米を収容する精白米ホッパ１２を客室３の左右他側に設ける。
【００１５】
機械室２の後部には精米機１１の精米処理で発生した糠を収容する糠収容部１３を設ける。
【００１６】
仕切壁１の客室３側には利用者が料金を投入する料金投入口１４と、精白度を選択する精白度選択スイッチ１５を設ける。
【００１７】
図５に示すように、精米設備は制御部Ｓにより、制御されている。
【００１８】
次に、投入室６について説明する。
【００１９】
投入室６は客室３の左右一側に区画される。正面側には投入室前仕切壁１６を設け、側面側には投入室横仕切壁１７を設ける。投入室前仕切壁１６は精米設備の管理者が開閉するメンテナンス用開閉扉１６ａに構成し、投入室横仕切壁１７は、上下方向に開閉する利用者の投入用開閉扉１８を構成する。
【００２０】
投入用開閉扉１８が閉時にその下端部を受ける開閉扉受け体１９を設け、開閉扉受け体１９から搬送ラセン７に向かって傾斜面を備える第一傾斜板２０を形成する。開閉扉受け体１９から客室３側に向かって傾斜面を備える袋載置板２１を設ける。
【００２１】
搬送ラセン７を挟んで第一傾斜板２０の反対側には第二傾斜板２２を設け、第二傾斜板２２の上端から上方は建屋Ｔの側壁３４部内側面となっている。第一傾斜板２０及び第二傾斜板２２の前側には後下がり傾斜姿勢の第三傾斜板２３を設ける。第三傾斜板２３の上端から上方は、メンテナンス用開閉扉１６ａの内側面となっている。
【００２２】
すなわち、第一傾斜板２０と第二傾斜板２２と第三傾斜板２３は投入ホッパＰを形成するものである。
【００２３】
第一傾斜板２０の上部から第二傾斜板２２の上部にわたって異物選別網２４を設ける。第二傾斜板２２の内側面には、穀物有無検出センサ２５及び籾・玄米判別センサ２６を設ける。第二傾斜板２２と建屋Ｔの側壁３４との間と第三傾斜板２３とメンテナンス用開閉扉１６ａとの間には空間部Ｋが形成されており、該空間部Ｋには穀物有無検出センサ２５及び籾・玄米判別センサ２６のハーネス２５ａ、２６ａや搬送ラセン７の搬送駆動モータ２７を設けている。また、異物選別網２４の着脱具であるピン２９等を設けている。
【００２４】
仕切壁１を貫通する玄米戻し筒２８を投入室６横仕切壁１７に沿って前下がり姿勢に設け、その排出口２８ａを投入用開閉扉１８と対向する位置に設ける。
【００２５】
次に、利用者による精米運転について説明する。
【００２６】
利用者は、料金を料金投入口１４に投入すると、投入用開閉扉１８が閉状態から開動作する。利用者は、持参した袋Ｈを建屋Ｔの床面Ｙに載置し、袋載置板２１に沿って横倒しする。すると、袋Ｈ内の大半の玄米が投入室６内に流れ込み一部は側壁３４で支持される玄米層Ｇの状態となる。そして、利用者は、袋Ｈ内の残りの玄米を投入室６に投入する。玄米の投入が終了し、精白度選択スイッチ１５で所望の精白度を選択すると搬送ラセン７が駆動を開始し、玄米が第一昇降機８、石抜機９、第二昇降機１０を経て精米機１１で精米処理され、精白米ホッパ１２に収容される。利用者は精白米ホッパ１２から持参の袋Ｈに白米を収容する。投入室６に玄米を残したまま、料金切れにより精米運転が停止し、利用者が残留玄米を持ち帰る場合には、利用者は持ち帰りスイッチ３０を操作する。すると、搬送ラセン７と第一昇降機８が駆動し、切換弁３１が玄米戻し筒２８側に切り換り、玄米が玄米戻し筒２８から排出される。利用者は袋Ｈを玄米戻し筒２８の排出口にセットし、玄米を受けて持ち帰る。
【００２７】
精米運転の終了後に、所定の時間の経過、又は利用者が不在であることを人検知センサ４３が検出すると投入用開閉扉１８が自動的に閉じる構成である。
【００２８】
次に、管理者による投入室６内のメンテナンスについて説明する。
【００２９】
管理者はメンテナンス用開閉扉１６ａを開けると投入室６前側が開放状態となり、空間部Ｋが露出する。管理者は、穀物有無検出センサ２５及び籾・玄米判別センサ２６のハーネス２５ａ、２６ａや搬送ラセン７の搬送駆動モータ２７のメンテナンスが可能となる。
【００３０】
また、異物選別網２４を外すときにはピン２９を外す。
【００３１】
次に、本実施の形態の精米設備の効果について説明する。
【００３２】
本実施の投入室６においては、前側を投入壁仕切壁１、側面を建屋Ｔの側壁３４内側を投入室６の一部として利用することで、一定量の玄米を収容することができるため、第一傾斜板２０、第二傾斜板２２、第三傾斜板２３の高さを低くすることができる。そのため、利用者は持参した袋Ｈを高く持ち上げなくても、客室３の床面Ｙに載置した状態で投入室６側に向かって横倒しにすることで持参玄米の大半の玄米を投入室６に投入できる。利用者は重量物である持参した袋Ｈを持ち上げる高さを低くすることができ、投入がし易い。
【００３３】
また、袋載置板２１に沿って、持参した袋Ｈを横倒しして載置できるので、載置し易い。
【００３４】
また、穀物有無検出センサ２５や籾・玄米判別センサ２６のハーネス２５ａ、２６ａや搬送ラセン７の搬送駆動モータ２７は客室３から離れた場所に設けることで、故障がし難いと共に、管理者がメンテナンスをし易い。
【００３５】
本実施の形態の投入室６は、客室３のスペースの一部に区画して設けることで、投入容量を確保しつつ、非精米運転時は、投入室６内を客室３と隔離する構成を特徴としている。そして、投入室６を客室３の左右一側に設け、建屋Ｔの側壁３４を投入室６の一部として利用する点に特徴があるが、客室３の中央部に投入室６を区画して設け、その左右一側の投入用開閉扉１８を設けることも可能である。また、投入室６前仕切壁１６を投入用開閉扉１８とする構成も可能である。
【００３６】
また、本実施の形態の投入室６は、前後方向の長さを左右方向の長さよりも長く構成し、前後方向に沿う姿勢の投入用開閉扉１８を設ける構成にするため、投入用開閉扉１８を大きく構成することができ、利用者が玄米を投入し易いという点にも特徴がある。
【００３７】
次に、建屋Ｔの外観について説明する。
【００３８】
建屋Ｔの前側には屋根３５から上方に突出する前看板３６を取り付ける。建屋Ｔの屋根３５は後側に向かって下がり傾斜に形成し、後壁３７より後方に突出する。屋根３５の後端部から設定距離離間した位置に後看板３８を設ける。後看板３８は後壁３７側に取り付ける後看板取付部３９に取り付ける。すなわち、後看板取付部３９は平面視でコ型に構成することで、屋根３５の後端部と離間する構成とすることで、屋根３５の雨水が円滑に後側に流すことができる。また、屋根３５柱の上面に精米設備をクレーン等で釣り上げる上フック４０を設け、屋根３５柱の前端部と後端部の下面にトラック等で精米設備を輸送する際のロープ掛け用の下フック４１を設けている。なお、前看板３６は夜間でも営業できるように電飾看板の構成である。
【００３９】
次に、客室３内の照明４４の点灯の制御について説明する。
【００４０】
夜間において、利用者が客室３に近づいたこと、または、客室３に入ることを人検知センサ４３が検出すると、客室３の照明４４が点灯する。そして、利用者が客室３から離れたことを人検知センサ４３が検出すると照明４４が消灯する。しかしながら、精米運転中においては、利用者が客室３から離れたことを人検知センサ４３が検出しても、照明４４は点灯し続けるように制御部Ｓで制御する。これにより、精米運転中に利用者が一時的に所用で客室３から離れても、照明４４が点灯し続けることで利用者が不審感を抱かない。また、建屋Ｔから離れた位置にいる利用者に精米運転中であることを示すことができる。また、夜間において、精米運転をしない時には客室３の照明４４を消灯することで省エネとなり、管理者のランニングコストを低減することができる。また、客室３の照明４４を消灯しても、前看板３６を電飾看板として、夜間でも点灯を継続することで、周辺の人に営業中であることを示すことができる。なお、精米運転中とは、利用者が料金を投入してから、料金分の時間精米運転をして、精米運転が停止してから設定時間（例えば１分）が経過するまでの時間である。もちろん、精米運転の終了後、利用者が不在の際に客室３の照明４４が消灯しても、利用者が客室３に戻ったことを検出すると、照明４４が点灯するのは言うまでもない。
【００４１】
一般的に人検知センサ４３で人を検知すると照明４４が点灯し、人検知センサ４３が人を検知しなくなると消灯するのはトイレ等で公知であるが、本実施の形態の特徴は、精米運転中の場合には、人検知センサ４３が利用者の不在を検出しても、客室３の照明４４が消灯しないことにある。
【産業上の利用可能性】
【００４２】
本実施の形態は、玄米専用の料金式の精米設備について記載しているが、籾を籾摺精米して精白米にする建屋式の籾摺精米設備についても実施できる。
【符号の説明】
【００４３】
１    仕切壁
２    機械室
３    客室
６    投入室
７    搬送装置（搬送ラセン）
１６    投入室前仕切壁
１６ａ  メンテナンス用開閉扉
１７    投入室横仕切壁
１８    投入用開閉扉
２０    第一傾斜板
２１    袋載置板
２２    第二傾斜板
３４    （建屋の）側壁
Ｔ    建屋
Ｐ    投入ホッパ
【図１】
0006561721.tif 000002
【図２】
0006561721.tif 000003
【図３】
0006561721.tif 000004
【図４】
0006561721.tif 000005
【図５】
0006561721.tif 000006
【図６】
0006561721.tif 000007